(57)【特許請求の範囲】
【請求項１】
主装置、複数の子機、スピーカ及び放送回線，通話回線などの接続ケーブルで構成され、前記主装置からの直流電流の供給により前記子機から前記主装置の前記放送回線を介して他の前記子機をスピーカにより呼出し、前記子機相互間の通話等を前記通話回線を介して行い得るよう構成された有線ページングシステムにおいて、
前記主装置の通話回線又は放送回線に設けられた前記放送回線の使用の有り又は無しを検知する放送状態検知回路と、
該放送状態検知回路により放送回線が使用状態でないことが検知されたとき、前記主装置の放送回線に商用電源周波数信号を出力するように設けられた商用電源周波数発振回路と、
該商用電源周波数発振回路から前記放送回線を通じて前記子機側に伝送される商用電源周波数信号を整流して充電するように前記子機側に設けられた蓄電池と、
前記子機側の前記放送回線に前記商用電源周波数信号が伝送されているか否かを検知するよう前記子機側に設けられた商用電源周波数検知回路と、
該商用電源周波数検知回路が前記商用電源周波数信号を検知したときは前記放送回線を前記蓄電池に接続し、前記商用電源周波数信号を検知しないときは前記放送回線を前記スピーカに接続する切替回路とを備え、
前記放送状態検知回路が放送状態を検知していないときは前記商用電源周波数発振回路を前記放送回線に接続せしめると共に、前記切替回路により前記放送回線を前記蓄電池に接続して、前記商用電源周波数信号により該蓄電池を充電し、前記放送状態検知回路が放送状態を検知したときは前記商用電源周波数発振回路を前記放送回線から切り離すと共に、前記切替回路により前記放送回線を前記スピーカに接続するように構成したことを特徴とする有線ページングシステム。
【請求項２】
主装置、複数の子機、スピーカ及び放送回線，通話回線などの接続ケーブルで構成され、前記主装置からの直流電流の供給により前記子機から前記主装置の前記放送回線を介して他の前記子機をスピーカにより呼出し、前記子機相互間の通話等を前記通話回線を介して行い得るようにすると共に、前記主装置に接続された外部音源装置からの音源信号を前記子機側に放送できるよう構成された有線ページングシステムにおいて、
前記主装置の通話回線又は放送回線に設けられた前記放送回線の使用の有り又は無しを検知する放送状態検知回路と、
前記主装置に前記外部音源装置から該主装置に入力される音源信号の有り又は無しを検知するよう設けられた音源信号検知回路と、
前記放送状態検知回路により放送回線が使用状態でないことが検出されたとき、又は前記音源信号検知回路が前記音源信号を検出していないとき、前記主装置の放送回線に商用電源周波数信号を出力するように設けられた商用電源周波数発振回路と、
該商用電源周波数発振回路から前記放送回線を介して前記子機側に伝送される商用電源周波数の電流を整流して充電するように前記子機側に設けられた蓄電池と、
前記子機側の前記放送回線に前記商用電源周波数信号が伝送されているか否かを検知するよう前記子機側に設けられた商用電源周波数検知回路と、
該商用電源周波数検知回路が前記商用電源周波数信号を検知したときは前記放送回線を前記蓄電池に接続し、前記商用電源周波数信号を検知しないときは前記放送回線を前記スピーカに接続する切替回路とを備え、
前記放送状態検知回路が放送状態を検知しないとき、及び前記音源信号検知回路が音源信号を検知していないときは、前記商用電源周波数発振回路を前記放送回線に接続せしめると共に、前記切替回路により放送回線を前記蓄電池に接続して、前記商用電源周波数信号により該蓄電池を充電し、前記放送状態検知回路が放送状態を検知したとき、又は前記音源信号検知回路が音源信号を検知したときは、前記商用電源周波数発振回路を前記放送回線から切り離すと共に、前記切替回路により前記放送回線を前記スピーカに接続するように構成したことを特徴とする有線ページングシステム。
【請求項３】
前記子機側に充電機能を必要としない子機を有する場合は、前記商用電源周波数の電流を整流して充電する前記電源装置又は前記蓄電池を設置しないようにした請求項１又は２に記載の有線ページングシステム。
【請求項４】
前記子機側に前記充電可能な前記電源装置又は前記蓄電池の電力を交流又は直流に変換する電力変換器を設け、前記充電可能な前記電源装置又は前記蓄電池から前記電力変換器を介して前記子機近傍に設けられた所要の端末機器に電力を供給するようにした請求項１乃至３のいずれか一項に記載の有線ページングシステム。
【発明の詳細な説明】
【技術分野】
【０００１】
本発明は、主装置と複数のハンドセットステーション（以下子機という。）、スピーカ及び放送回線，通話回線などの接続ケーブルで構成され、主装置から子機への直流電源の供給により、子機から主装置の放送回線を介して他の子機をスピーカにより呼出し、子機相互間の通話等を行う有線ページングシステムにおいて、主装置から放送回線を介して充電電流を伝送し、子機側に設置した電源装置を充電するようにした有線ページングシステムに関するものである。
【背景技術】
【０００２】
最初に、従来から使用されている有線ページングシステムの一例を、図４に示した回路図に基づいて説明する。この有線ページングシステムは、主装置Ｍと複数の子機Ｈ１〜Ｈｎ及びスピーカＳＰで構成され、呼出回線Ａ（以下Ａ回線という），通話回線Ｂ（以下Ｂ回線という）及び放送回線Ｐ（以下Ｐ回線という）により接続されている。主装置Ｍは、商用交流電源（ＡＣ１００Ｖ）から所要の直流電源、例えば−２４Ｖ，−４８Ｖを得る電源回路Ｅ，放送用増幅器ＰＡ，トランスＴ３，Ｂ回線の使用中を検出するリレーＡ１，Ａ２，Ａ回線の使用中を検出するリレーＢ，表示ランプＰＬ１，ＰＬ２などから構成されている。なお、リレーＡ１，Ａ２，Ｂのコイルに並列に設けられるスパイクキラーダイオードは、図示及び説明を省略する。
【０００３】
子機Ｈは、送話器Ｔ，送話用増幅器ＴＡ，トランスＴ１，Ｔ２，受話器Ｒ，誘導線輪ＩＮＤ，図示していないフックスイッチＨＳの接点ＨＳ１，ＨＳ２，図示していないノンロック式の呼出用スイッチＣＨの接点ＣＫ１〜ＣＫ４，可変抵抗器ＶＲ１，ＶＲ２，固定抵抗器Ｒ１，Ｒ２，コンデンサＣ１，Ｃ２などから構成されている。
【０００４】
次に動作を説明する。商用電源ＡＣ１００Ｖは主装置Ｍに供給され、電源回路Ｅを介して−２４ＶがＡ回線又はＢ回線から各子機Ｈ１〜Ｈｎに供給される。各子機Ｈ１〜Ｈｎが待ち受け状態では、子機Ｈ１のフックスイッチの接点ＨＳ１，ＨＳ２は開放状態でＡ回線に電流は流れていない。発呼（呼出し又は通話）のため子機Ｈ１で送受器を上げると、フックスイッチの接点ＨＳ１，ＨＳ２が閉じ、主装置Ｍの（−２４）→ダイオードＤ１→インダクタンスＬ１→トランスＴ３→端子１，２→Ａ回線→子機Ｈ１の端子１，２→トランスＴ１→フックスイッチ接点ＨＳ１→送話用増幅器ＴＡ→端子３→Ａ回線のシールド→主装置Ｍの端子３→Ｇのルートで子機Ｈ１の送話用増幅器ＴＡに電流が供給される。
【０００５】
また、フックスイッチ接点ＨＳ１．ＨＳ２の閉成により、主装置ＭのリレーＢが動作して、そのメーク接点ｂ１が閉じ通話回線使用中を示す表示ランプＰＬ１が点灯する。従って、発呼側の子機Ｈ１の送話器Ｔで送話をすれば、音声信号は、送話器Ｔ→送話用増幅器ＴＡ→接点ＣＫ１，ＣＫ２→誘導線輪ＩＮＤ→接点ＨＳ２，コンデンサＣ２→端子４，５を経由してＢ回線に接続される。従って、このとき他の子機Ｈｎ（被呼側）が送受器を上げれば、Ｂ回線を介して子機Ｈ１，Ｈｎ同志は同一端子４，５で接続されているため、他の子機Ｈｎの端子４，５→接点ＨＳ２，コンデンサＣ２→誘導線輪ＩＮＤ→受話器Ｒのルートで接続され、受話器Ｒからの音声を受話できる。このとき受話側（被呼側）の子機Ｈｎで送話器Ｔで送話すると、前述の子機Ｈ１で説明した送話回路のルートで発呼側の子機Ｈ１の受話器Ｒで受話ができ、両者間で相互通話ができる。
【０００６】
被呼側の子機Ｈｎが送受器を上げていないとき相手を呼び出すには、発呼側の子機Ｈ１で送受器を上げた後、呼出用スイッチＣＫを操作して接点ＣＫ１〜ＣＫ３を閉じると、端子４→接点ＨＳ２→誘導線輪ＩＮＤ→接点ＣＫ３→端子５により、端子４，５間に直流ループが形成され、Ｂ回線を介して主装置ＭのリレーＡ１，Ａ２が動作し、そのメーク接点ａ１，ａ２が閉じ表示ランプＰＬ２が点灯してＢ回線の使用状態が表示される。この状態で、子機Ｈ１が送話器Ｔで呼び出すと、送話用増幅器ＴＡで増幅された呼出音声信号は、接点ＣＫ１，ＣＫ２によりＢ回線（通話回線Ｂ）の誘導線輪ＩＮＤからＡ回線（呼出回線Ａ）のトランスＴ１に切り替わり、端子１，２→Ａ回線→主装置Ｍの端子１，２→トランスＴ３→抵抗Ｒ３，ＶＲ３→制限回路ＬＡ→放送用増幅器ＰＡに入力される。放送用増幅器ＰＡで増幅された呼出音声信号は、端子７，８→Ｐ回線（放送回線Ｐ）→発呼の子機以外の全子機Ｈｎの端子７，８→接点ＣＫ４（放送用スイッチＣＫを操作していない子機Ｈｎの接点ＣＫ４は閉じている）→端子１０，１１→スピーカＳＰにより呼出放送される。  
【０００７】
発呼側の子機Ｈ１では、呼出放送を行った後、放送用スイッチＣＫを平常状態に戻し、そのまま被呼側の子機Ｈｎの応答を待つ。被呼側の子機Ｈｎで送受器を上げれば、発呼側の子機Ｈ１との間でＢ回線（通話回線Ｂ）を介して通話ができる。なお、呼出放送中は発呼側の子機Ｈ１の接点ＣＫ４が開放されて、自己の近傍のスピーカＳＰからは呼出放送がされないようにミュート機能として働く。（例えば、特許文献１参照）
【０００８】
なお、子機ＨｎのスピーカＳＰは、子機Ｈｎから少し離れた位置、例えば屋外の電柱などの適宜箇所に設けられたものであるが、子機Ｈ１のスピーカＳＰは、当該子機Ｈ１に内蔵されているものである。また、主装置Ｍには、チャイムなどの音源を持たせ、放送回線Ｐにより所要の時刻を報知させるようにしたものもある。
また、前述の従来例では、子機Ｈの送話用増幅器ＴＡの電源をＡ回線（呼出回線Ａ）を介して主装置Ｍから供給されているが、この他にも（図示していないが）主装置ＭからＢ回線（通話回線Ｂ）を介して電源の供給を受けるように構成されているものもある。
【特許文献１】特開平１０−１５５０２７号公報
【発明の開示】
【発明が解決しようとする課題】
【０００９】
以上、従来から使用されている有線ページングシステムの一例について説明したが、従来の有線ページングシステムは、子機Ｈ１〜Ｈｎの放送（呼出）機能及び通話機能における動作電源の供給を主装置Ｍから受けている。
このような有線ページングシステムにおいては、子機側の機能向上のための端末機器として、使用中の各回線を表示させる話中表示器、構内に設置されている子機（ハンドセット）の場所を常駐者以外の者に知らせる回転灯、時刻表示器、或いは構内用の監視カメラなどの設置を要することがある。このような場合の端末機器への動作電源の供給が問題となる。
【００１０】
即ち、主装置から子機側に供給する電力は、呼出用のＡ回線、放送用のＰ回線及び通話用のＢ回線の動作電源としてであり、数１０台の子機に対する電流容量も直流電圧２４Ｖで５００ｍＡ程度である。これに対して、前述の端末機器に電力を供給する場合は、主装置から子機側間での距離は数ｋｍになる場合もあることから、線路ロスも大きく、従来システムの電流容量では到底対応が出来なかった。もし、どうしても対応する必要がある場合は、主装置から子機側に別の電源用ケーブルを敷設して端末機器に電力供給するか、端末機器を設置する場所に商用交流電源があることを条件にする必要があった。
ただし、電源用ケーブルを敷設する場合は、膨大な費用と時間が掛かるという問題があり、このような対応の実現は困難であった。
本発明は、端末装置側に蓄電池を設け、この蓄電池に主装置側から電源供給を行うようにして、前述した従来の有線ページングシステムの問題を解決したものである。
【課題を解決するための手段】
【００１１】
本願の第１の発明の有線ページングシステムは、主装置、複数の子機、スピーカ及び放送回線，通話回線などの接続ケーブルで構成され、前記主装置からの直流電流の供給により前記子機から前記主装置の前記放送回線を介して他の前記子機をスピーカにより呼出し、前記子機相互間の通話等を前記通話回線を介して行い得るよう構成された有線ページングシステムにおいて、
前記主装置に商用電源周波数発振回路と前記放送回線又は前記通話回線の使用状態の有り又は無しを検知する放送状態検知回路とを設けると共に、前記子機に前記放送回線が使用状態に無いとき該放送回線を介して充電可能となる電池を有する電源装置を備え、
前記放送状態検知回路により前記放送回線又は前記通話回線が使用状態に有ることを検知したときは、前記商用電源周波数発振回路の前記放送回線への接続を遮断し、前記放送回線又は前記通話回線が使用状態に無いことを検知したときは、前記商用電源周波数発振回路を前記放送回線に接続して商用電源周波数信号により前記電源装置の電池を充電することができるように構成したものである。
【００１２】
本願の第２の発明の有線ページングシステムは、主装置、複数の子機、スピーカ及び放送回線，通話回線などの接続ケーブルで構成され、前記主装置からの直流電流の供給により前記子機から前記主装置の前記放送回線を介して他の前記子機をスピーカにより呼出し、前記子機相互間の通話等を前記通話回線を介して行い得るよう構成された有線ページングシステムにおいて、
前記主装置の通話回線又は放送回線に設けられた前記放送回線の使用の有り又は無しを検知する放送状態検知回路と、該放送状態検知回路により放送回線が使用状態でないことが検知されたとき、前記主装置の放送回線に商用電源周波数信号を出力するように設けられた商用電源周波数発振回路と、該商用電源周波数発振回路から前記放送回線を通じて前記子機側に伝送される商用電源周波数信号を整流して充電するように前記子機側に設けられた蓄電池と、前記子機側の前記放送回線に前記商用電源周波数信号が伝送されているか否かを検知するよう前記子機側に設けられた商用電源周波数検知回路と、該商用電源周波数検知回路が前記商用電源周波数信号を検知したときは前記放送回線を前記蓄電池に接続し、前記商用電源周波数信号を検知しないときは前記放送回線を前記スピーカに接続する切替回路とを備え、
前記放送状態検知回路が放送状態を検知していないとき前記商用電源周波数発振回路を前記放送回線に接続せしめると共に、前記切替回路により前記放送回線を前記蓄電池に接続して、前記商用電源周波数信号により該蓄電池を充電することができるように構成したものである。
【００１３】
本願の第３の発明の有線ページングシステムは、主装置、複数の子機、スピーカ及び放送回線，通話回線などの接続ケーブルで構成され、前記主装置からの直流電流の供給により前記子機から前記主装置の前記放送回線を介して他の前記子機をスピーカにより呼出し、前記子機相互間の通話等を前記通話回線を介して行い得るようにすると共に、前記主装置に接続された外部音源装置からの音源信号を前記子機側に放送できるよう構成された有線ページングシステムにおいて、
前記主装置の通話回線又は放送回線に設けられた前記放送回線の使用の有り又は無しを検知する放送状態検知回路と、前記主装置に前記外部音源装置から該主装置に入力される音源信号の有り又は無しを検知するよう設けられた音源信号検知回路と、前記放送状態検知回路により放送回線が使用状態でないことが検出されたとき、又は前記音源信号検知回路が前記音源信号を検出していないとき、前記主装置の放送回線に商用電源周波数信号を出力するように設けられた商用電源周波数発振回路と、該商用電源周波数発振回路から前記放送回線を介して前記子機側に伝送される商用電源周波数の電流を整流して充電するように前記子機側に設けられた蓄電池と、前記子機側の前記放送回線に前記商用電源周波数信号が伝送されているか否かを検知するよう前記子機側に設けられた商用電源周波数検知回路と、該商用電源周波数検知回路が前記商用電源周波数信号を検知したときは前記放送回線を前記蓄電池に接続し、前記商用電源周波数信号を検知しないときは前記放送回線を前記スピーカに接続する切替回路とを備え、
前記放送状態検知回路が放送状態を検知しないとき、又は前記音源信号検知回路が音源信号を検知していないとき、前記商用電源周波数発振回路を前記放送回線に接続せしめると共に、前記切替回路により放送回線を前記蓄電池に接続して、前記商用電源周波数信号により該蓄電池を充電することができるように構成したものである。
【発明の効果】
【００１４】
以上説明したように、本発明によれば、有線ページングシステムの子機側に充電可能な電源装置を設けて、放送回線が使用状態にないとき主装置から当該放送回線を介して商用電源周波数発振信号を電源装置に送信し充電することができるようにしたものである。従って、主装置から遠距離にある子機に対して多大なコストを掛けて電源供給用の線路を新規に敷設することがなく、また各種端末機器の設置が商用電源が使用可能な場所に制限されることがなく、簡単な構成により子機側に電源装置を設置することが可能となり、これにより本有線ページングシステムの種々の機能向上を図ることができるものである。
【発明を実施するための最良の形態】
【００１５】
(実施例１)
図１は、本発明の実施例を示す有線ページングシステムの回路図であり、図示の状態は有線ページングシステムが放送状態又は通話状態にはなく蓄電池を充電している状態を示している。なお、図１の回路は、従来例として示した図４の回路に、本発明に係る回路を一部付加したものである。従って、図４と同じ部分は同じ記号で示し、その説明を省略する。図１の回路において図４の回路と相違するところは、主装置Ｍの放送用増幅器ＰＡの入力側に、商用電源周波数の５０Ｈｚ又は６０Ｈｚの信号を発振する商用電源周波数発振回路ＯＳＣ１と、放送用増幅器ＰＡの試験を行うための試験用発振回路ＯＳＣ２とを切り替えて接続されるように設けられている。この切替接続は、Ｂ回線（通話回線Ｂ）に設けられているリレーＡのメーク接点ａ２の閉成により動作するリレーＦの切替接点ｆ１，ｆ２により行われるものである。なお、試験用発振回路ＯＳＣ２の動作回路には手動操作のスイッチＳＷ１を設け、試験用発振信号の出力のオン・オフを制御する。
【００１６】
他方、子機Ｈ１〜ＨｎのＰ回線（放送回線Ｐ）には、このＰ回線に商用電源周波数の信号（電流）が伝送されたとき、この信号を検知する例えばノッチフィルタによる商用電源周波数検知回路ＦＤと、この商用電源周波数検知回路ＦＤの検知出力により動作するリレーＮが設けられている。また、このＰ回線には、商用電源周波数信号が伝送されたとき、この商用電源周波数信号を整流器Ｋで整流して充電する蓄電池Ｖが設けられている。
【００１７】
次に、主装置Ｍから子機Ｈ側の蓄電池Ｖへの充電動作を説明する。前述の商用電源周波数発振回路ＯＳＣ１は、リレーＦの切替接点ｆ１，ｆ２により放送用増幅器ＰＡを介してＰ回線に接続されている。従って、この有線ページングシステムが放送状態又は通話状態にない場合は、主装置Ｍから商用電源周波数信号はＰ回線の端子７，８を通じて子機Ｈ１〜Ｈｎに伝送される。子機Ｈ１〜Ｈｎの商用電源周波数検知回路ＦＤは、この信号を検知してリレーＮを動作せしめ、その切替接点ｎ１を整流器Ｋ側に接続し、蓄電池Ｖに充電するものである。
【００１８】
なお、図示の状態は、商用電源周波数発振回路ＯＳＣ１に設けてある手動のスイッチＳＷ２をオン状態として充電状態にしているが、このスイッチＳＷ２をオフ状態に操作することにより、充電状態を停止することができる。即ち、商用電源周波数発振回路ＯＳＣ１が動作を停止すると、子機Ｈ側の商用電源周波数検知回路ＦＤは、主装置Ｍから商用電源周波数信号を検知しないためリレーＮは復旧し、その切替接点ｎ１は整流器Ｋ側からスピーカＳＰ側に切り替わり、充電状態から待機状態に変わる。
【００１９】
次に、子機Ｈ１が呼出（放送）動作のため送受器を上げフックスイッチＨＳが動作すると、接点ＨＳ２によりＢ回線（通話回線Ｂ）が形成され、主装置ＭのＢ回線に設けられているリレーＡ１，Ａ２が動作して、その接点ａ２の閉成によりリレーＦが動作し、その切替接点ｆ１，ｆ２によりＰ回線（放送回線Ｐ）は商用電源周波数発振回路ＯＳＣ１への接続を切り離し、試験用発振回路ＯＳＣ２への接続に切り替えられる。従って、Ｐ回線への商用電源周波数信号の伝送は停止されるため、子機Ｈ１の商用電源周波数検知回路ＦＤにより制御されるリレーＮは復旧し、その切替接点ｎ１によりＰ回線はスピーカに接続される。この一連の動作により子機Ｈ１の蓄電池Ｖに対する充電は停止される。この状態で呼出用スイッチＣＫを操作することにより、送話器Ｔは接点ＣＫ１〜ＣＫ３によりＡ回線に接続され呼出状態となる。
【００２０】
なお、図２に示すように、主装置ＭのＡ回線（呼出回線Ａ）の直流供給回路に設けられたリレーＢのメーク接点ｂ２をリレーＡ２のメーク接点ａ２と並列に設け、Ａ回線が形成されたとき動作するリレーＢのメーク接点ｂ２を閉成させ、リレーＦを動作せしめて商用電源周波数発振回路ＯＳＣ１をＰ回線から切り離すようにしてもよい。
蓄電池Ｖに充電された直流電力は、インバータ又はコンバータなどの電力変換器ＥＣにより、所要の交流又は直流に変換して出力端子１２，１３に出力し、図示していない例えば、話中表示器、構内に設置されている子機の場所を常駐者以外の者に知らせる回転灯、時刻表示器、或いは構内用の監視カメラなどの端末機器に電力を供給する。
【００２１】
(実施例２)
図３は、本発明の他の実施例を示す有線ページングシステムの回路図であり、図示の状態は図１と同様に蓄電池を充電している状態を示している。この図３の回路の図１の回路と相違するところは、主装置Ｍの端子１４，１５に外部音源（図示を省略）として、例えば一斉指令放送，緊急連絡放送，時刻報知放送などの外部音源装置が接続され、その音源信号がトランスＴ４及び外部音源用増幅器ＳＡを介して放送用増幅器ＰＡに入力される。このような外部音源から入力される音源信号の放送状態においては、Ｂ回線（通話回線Ｂ）が動作状態となっていないため、Ｐ回線（放送回線Ｐ）が外部音源による放送状態にあるにも拘らず、商用電源周波数発振回路ＯＳＣ１がＰ回線に接続されることになり、外部音源からの放送に影響を及ぼすことになる。
【００２２】
このような場合に対応するため、外部音源が接続される有線ページングシステムの場合には、外部音源が接続される端子１４，１５に接続された外部音源用増幅器ＳＡの出力側に音源信号検知回路ＳＤを設けると共に、この音源信号検知回路ＳＤが音源信号を検知したとき動作するリレーＣを設け、このリレーＣのメーク接点ｃ１の閉成により商用電源周波数発振回路ＯＳＣ１のＰ回線（放送回線）への接続を切り離すようにしたものである。即ち、リレーＣのメーク接点ｃ１をリレーＡ２のメーク接点ａ２，と並列に設け、リレーＡ２，Ｃのいずれかが動作したときリレーＦを動作させて、商用電源周波数発振回路ＯＳＣ１をＰ回線から切り離すようにしたものである。また、図２の回路に示したように主装置Ｍから子機Ｈの送話用増幅器ＴＡに対する電源供給回路に設けたリレーＢのメーク接点ｂ２を、前述のメーク接点ａ２，ｃ１と並列に設け、リレーＡ２，Ｂ，Ｃのいずれかが動作したときリレーＦを動作させるようにしてもよい。
【００２３】
従って、子機Ｈが放送状態になく、子機Ｈ側の蓄電池Ｖに対し商用電源周波数発振回路ＯＳＣ１からの商用電源周波数による充電中であっても、端子１４，１５に外部音源装置からの音源信号が入力された場合は、音源信号検知回路ＳＤにより検知して、商用電源周波数発振回路ＯＳＣ１からの商用電源周波数による充電を停止させることができる。
なお、子機Ｈ側に充電可能な電源装置である蓄電池Ｖなどの設置を必要としない場合は、子機Ｈ側に設けられる商用電源周波数検知回路ＦＤとその検知出力により動作するリレーＮとは必要とするが、整流器Ｋ，蓄電池Ｖ，電力変換器ＥＣを設ける必要はない。
また、主装置Ｍに設けられている電源回路Ｅの−４８Ｖの電源は、放送用増幅回路ＰＡや外部音源用増幅器ＳＡなどの駆動電源として使用される。
【産業上の利用可能性】
【００２４】
本発明による有線ページングシステムは、主装置から子機への通話回線や放送回線又は呼出回線に対する直流電源の供給方式と異なる供給方式の有線ページングシステムについても適用することができる。
【図面の簡単な説明】
【００２５】
【図１】本発明の有線ページングシステムにおける主装置から子機側電源装置へ充電する一実施例を示す回路図である。
【図２】本発明の有線ページングシステムにおける主装置側の他の実施例を示す回路図である。
【図３】本発明の有線ページングシステムにおける主装置から子機側電源装置へ充電する他の実施例を示す回路図である。
【図４】従来の有線ページングシステムの一例を示す回路図である。
【符号の説明】
【００２６】
ＰＡ  放送用増幅器
ＴＡ  送話用増幅器
ＳＡ  外部音源用増幅器
ＯＳＣ１  商用電源周波数発振回路
ＯＳＣ２  試験用発振回路
Ｅ  電源回路
ＬＡ  制限回路
ＰＬ１，ＰＬ２  表示ランプ
Ｔ  送話器
Ｒ  受話器
ＨＳ１，ＨＳ２  フックスイッチの接点
ＣＫ１〜ＣＫ４  放送用スイッチ
Ｔ１〜Ｔ４  トランス
Ａ１，Ａ２，Ｂ，Ｃ，Ｆ，Ｎ  リレー
ＦＤ  商用電源周波数検知回路
Ｋ  整流器
Ｖ  蓄電池
ＥＣ  電力変換器
【図１】
0004718788.tif 000002
【図２】
0004718788.tif 000003
【図３】
0004718788.tif 000004
【図４】
0004718788.tif 000005